(57)【特許請求の範囲】
【請求項１】
障害検出を他の装置に通報する障害通報方式であって、
第１入力線から信号を受信する第１信号受信手段と、
第２入力線から信号を受信する第２信号受信手段と、
前記第１信号受信手段が前記第１入力線から信号を受信しなくなったことを検出したときに電源断信号を出力する第１信号監視手段と、
前記第２信号受信手段が前記第２入力線から信号を受信しなくなったことを検出したときに電源断信号を出力する第２信号監視手段と、
前記第１信号監視手段が前記電源断信号を出力することができる期間を設定する第１動作期間設定手段と、
前記第２信号監視手段が前記電源断信号を出力することができる期間を設定する第２動作期間設定手段と、
前記第１信号監視手段あるいは前記第２信号監視手段からの前記電源断信号を受けて電源からの電源供給を遮断し出力線への電源供給を停止する電源遮断手段と、を備える、
ことを特徴とする障害通報方式。
【請求項２】
障害検出を他の装置に通報する障害通報方法であって、
第１入力線から信号を受信し、
第２入力線から信号を受信し、
予め設定された期間内に前記第１入力線からの信号を受信しなくなったことを検出したときに電源断信号を出力し、
予め設定された期間内に前記第２入力線からの信号を受信しなくなったことを検出したときに電源断信号を出力し、
前記第１入力線からの信号を受信しなくなったことを検出したときに出力する電源断信号あるいは前記第２入力線からの信号を受信しなくなったことを検出したときに出力する電源断信号を受けて電源からの電源供給を遮断し出力線への電源供給を停止する、
ことを特徴とする障害通報方法。
【発明の詳細な説明】
【０００１】
【発明の属する技術分野】
本発明は、障害通報方式に関し、特に障害を検出したときに装置の電源を停止することで障害を他の装置に通報する障害通報方式および方法に関する。
【０００２】
【従来の技術】
従来、米国電気電子技術者協会（以降、ＩＥＥＥと記す）８０２．３で規格化された１０ＢＡＳＥ−ＴあるいはＩＥＥＥ８０２．３ｕで規格化された１００ＢＡＳＥ−ＴＸや１００ＢＡＳＥ−ＦＸのＬＡＮポートを持つ製品においては、ＬＡＮ障害時に、障害が発生していない他の装置にＬＡＮ（ローカルエリアネットワーク）ポートの障害発生を通知する手段が無かった。
【０００３】
特開昭６１−２４８６２９号公報には、２重ループ方式のリング伝送路において自動電源投入切断する技術が記載されているが、この従来の方式はＩＥＥＥ８０２．３やＩＥＥＥ８０２．３ｕを使用したＬＡＮには適応できない。
【０００４】
そもそも、ＩＥＥＥ８０２．３やＩＥＥＥ８０２．３ｕでは二重化方式が確立されていなかったためにＬＡＮ障害を他の装置に通知する必要性も無かった。
【０００５】
しかし、ＩＥＥＥ８０２．３ａｄで規格化されたリンクアグリゲーション機能や無線ＬＡＮのローミング機能を使用するシステムにおいては、ＬＡＮ障害を他の装置に通知する必要性が生じてきた。これらのシステムでは、ＬＡＮ障害を他の装置に通知しないと、システムが通信障害を発生してしまう。
【０００６】
例えば、図８で示される従来メディアコンバータとスイッチングハブから構成されるシステムでは、スイッチングハブが実装しているリンクアグリゲーション機能（ＩＥＥＥ８０２．３ａｄ）を用いて二重化を実施している。光ファイバケーブル１６が断線した時に、スイッチングハブ８では光ファイバケーブル１６の断線が検出できないため、従来メディアコンバータ８０に対してフレームを送信し続けてしまう。スイッチングハブ９も、同様に、従来メディアコンバータ８２に対してフレームを送信し続けてしまう。その結果、通信に障害が発生してしまうことになる。
【０００７】
また、図９で示される無線ＬＡＮ（ＩＥＥＥ８０２．１１）の従来アクセスポイント２台と無線ＬＡＮインタフェースカードを実装した無線ＬＡＮクライアントから構成されるシステムでは、無線ＬＡＮクライアント２６が実装しているローミング機能を用いて従来アクセスポイントの二重化を実施している。無線ＬＡＮクライアント２６が従来アクセスポイント９２を使用して通信を行っている時にアンシールド・ツイスト・ペア線（以下、ＵＴＰと記す）ケーブル２４もしくはハブ２０に障害があった場合、無線ＬＡＮクライアント２６はＵＴＰケーブル２４およびハブ２０の障害が検知出来ないため従来アクセスポイント９２を使用し続けてしまうため、通信が出来なくなることになる。
【０００８】
【発明が解決しようとする課題】
しかしながら、上述の従来の技術では、以下のような問題点がある。
【０００９】
すなわち、障害を検出して通報することができないために、図８および図９に示すような二重化システムにおいて自動的に待機系（図８における従来メディアコンバータ８１と従来メディアコンバータ８３ならびに図９における従来アクセスポイント９３）にアクセスを切り換えることができないことである。
【００１０】
本発明の目的は、上記の問題点を解決し、障害検出時に自動的に装置の電源を切断することにより通報を行う障害通報方式および方法を提供することにある。
【００１１】
【課題を解決するための手段】
本願第１の発明の障害通報方式は、障害検出を他の装置に通報する障害通報方式であって、第１入力線から信号を受信する第１信号受信手段と、第２入力線から信号を受信する第２信号受信手段と、前記第１信号受信手段が前記第１入力線から信号を受信しなくなったことを検出したときに電源断信号を出力する第１信号監視手段と、前記第２信号受信手段が前記第２入力線から信号を受信しなくなったことを検出したときに電源断信号を出力する第２信号監視手段と、前記第１信号監視手段が前記電源断信号を出力することができる期間を設定する第１動作期間設定手段と、前記第２信号監視手段が前記電源断信号を出力することができる期間を設定する第２動作期間設定手段と、前記第１信号監視手段あるいは前記第２信号監視手段からの前記電源断信号を受けて電源からの電源供給を遮断し出力線への電源供給を停止する電源遮断手段と、を備える、ことを特徴とする。
【００１２】
本願第２の発明の障害通報方法は、障害検出を他の装置に通報する障害通報方法であって、第１入力線から信号を受信し、第２入力線から信号を受信し、予め設定された期間内に前記第１入力線からの信号を受信しなくなったことを検出したときに電源断信号を出力し、予め設定された期間内に前記第２入力線からの信号を受信しなくなったことを検出したときに電源断信号を出力し、前記第１入力線からの信号を受信しなくなったことを検出したときに出力する電源断信号あるいは前記第２入力線からの信号を受信しなくなったことを検出したときに出力する電源断信号を受けて電源からの電源供給を遮断し出力線への電源供給を停止する、ことを特徴とする。
【００２１】
【発明の実施の形態】
本発明の障害通報方式は、何らかの障害により入力信号を検出できなくなった場合に、自動的に電源断することにより障害検出を通知することを特徴としている。
【００２２】
本発明の第１の実施の形態について、図面を用いて説明する。
【００２３】
第１の実施の形態は、障害通報方式の形態である。
【００２４】
図１は、本発明の第１の実施の形態の構成を示す図である。
【００２５】
図１を参照すると、本発明の障害通報方式は、電源１と、スイッチ２と、動作期間設定部３と、信号監視部４と、信号受信部５と、出力線６と、入力線７と、を含む。
【００２６】
電源１は、各部に電源を供給する電源装置である。
【００２７】
スイッチ２は、電源１から各部への電源供給を制御するスイッチである。スイッチ２は、信号監視部４から電源断信号を受けたときに、動作期間設定部３，信号監視部４，信号受信部５および出力線６への電源供給を遮断する。
【００２８】
動作期間設定部３は、信号監視部４が電源断信号を発生することを有効とさせる期間を設定する。この期間の開始は、入力検出信号の立ち上がりでもよいし、他から指示される期間開始信号でもよいし、時刻による指定でもよい。この期間の長さは、はタイマーで設定してもよいし、外部からの信号で設定するようにしてもよいし、固定の値を持つようにしてもよい。また、入力検出信号の立ち下がりでこの期間の終了としてもよい。
【００２９】
信号監視部４は、信号受信部５が出力する信号受信信号を監視し、信号受信信号を検出している間は入力検出信号を発生する。動作期間設定部３で設定されている期間の間に、信号受信信号が途絶えると入力検出信号を中断し、電源断信号を発生させスイッチ２に送信する。動作期間設定部３で設定されている期間以外であれば、電源断信号をスイッチ２に送信しない。
【００３０】
信号受信部５は、入力線７から信号を受信できる間は信号受信信号を発生させ信号監視部４に送信する。
【００３１】
本発明の第１の実施の形態の動作について、図１および図２を参照して説明する。
【００３２】
図２は、電源断のタイミングを示す図である。
【００３３】
（１）電源１が投入された時点から、信号監視部４は信号受信部５からの信号受信信号の監視を開始する。
【００３４】
（２）信号受信部５は、入力線７から入力される信号を受信する。信号受信部５は、信号を受信している間は信号受信信号を発生し、信号受信信号を信号監視部４に送信する。
【００３５】
（３）信号監視部４は、信号受信信号を検出している間は、入力検出信号を発生する。図２を参照すると、時刻Ｔ０から時刻Ｔ１の間入力検出信号を発生している。
【００３６】
（４）信号受信部５は、入力線７などの障害により入力線７からの信号が途絶えたときに、信号受信信号の発生を停止する。
【００３７】
（５）信号監視部４は、動作期間設定部３で設定されている期間内で信号受信信号を検出しなくなった場合、入力検出信号の発生を停止して電源断信号を発生し、スイッチ２に電源断信号を送信する。図２を参照すると、入力検出信号が中断した時刻Ｔ１で電源断信号を送信している。
【００３８】
（６）電源断信号を受信したスイッチ２は、動作期間設定部３，信号監視部４，信号受信部５および出力線６への電源供給を停止する。
【００３９】
このように、入力線７などの障害により入力線７からの信号が途絶えたときに、信号監視部４で検出して電源断信号を発生させることにより、スイッチ２は電源１から出力線６などへの電源供給を遮断する。すなわち、電源供給を遮断することで障害を検出したことを通報している。
【００４０】
本実施の形態では、電源断信号によりスイッチ２で電源１からの電源供給を遮断するようにしているが、電源断信号により電源１を停止するようにしてもよい。
【００４１】
本発明の第２の実施の形態について、図面を用いて説明する。
【００４２】
第２の実施の形態は、第１の実施の形態で説明した障害通報方式を適用したＬＡＮ制御装置の形態である。
【００４３】
図３は、本発明の第２の実施の形態の構成を示す図である。
【００４４】
図３を参照すると、ＬＡＮ制御装置３０は、主電源３１と、スイッチ３２と、タイマー３３と、信号監視部３４と、リンクパルス信号受信部３５と、出力線３６と、入力線３７と、ＬＡＮポート３８と、制御回路３９と、から構成されている。
【００４５】
主電源３１は、各部に電源を供給する電源装置である。
【００４６】
スイッチ３２は、主電源３１から各部への電源供給を制御するスイッチである。スイッチ３２は、信号監視部３４から電源断信号を受けたときに、タイマー３３，信号監視部３４，リンクパルス信号受信部３５および制御回路３９への電源供給を遮断する。
【００４７】
タイマー３３は、電源断信号を有効とさせる期間を設定する。信号監視部３４から出力される入力検出信号がオンになったときにタイマー３３が起動する。また、入力検出信号のオフでリセットする。
【００４８】
信号監視部３４は、リンクパルス信号受信部３５が出力するリンクパルス受信信号を監視し、リンクパルス受信信号を検出している間は入力検出信号を発生する。タイマー３３が起動している間に、リンクパルス受信信号が途絶えると入力検出信号を中断し、電源断信号を発生させスイッチ３２に送信する。タイマー３３が起動していない間であれば、電源断信号をスイッチ３２に送信しない。
【００４９】
リンクパルス信号受信部３５は、ＬＡＮポート３８に接続されている装置（図示せず）から一定間隔でリンクパルス信号を入力線３７経由で受信する。リンクパルス信号受信部３５は、リンクパルス信号を受信している間はリンクパルス受信信号を発生して信号監視部４に送信する。
【００５０】
ＬＡＮポート３８は、装置（図示せず）を接続するためのＬＡＮ用のポートである。
【００５１】
制御回路３９は、ＬＡＮポート３８に接続される装置（図示せず）との間で信号を送受信してＬＡＮ制御機能を実行する。なお、制御回路３９は出力線３６経由で主電源３１から電源を供給される。
【００５２】
本発明の第２の実施の形態について、図３を用いて説明する。
【００５３】
（１）ＬＡＮ制御装置３０の主電源３１が投入された時点から、信号監視部３４はリンクパルス信号受信部３５からのリンクパルス受信信号の監視を開始する。同時に、制御回路３９はＬＡＮポート３８に接続される装置（図示せず）との間で信号を送受信してＬＡＮ制御機能を実行する。
【００５４】
（２）リンクパルス信号受信部３５は、入力線３７経由でリンクパルス信号を受信する。リンクパルス信号受信部３５は、リンクパルス信号を受信している間はリンクパルス受信信号を発生して信号監視部３４に送信する。
【００５５】
（３）信号監視部３４はリンクパルス受信信号がオンになったときに、タイマー３３を起動する。タイマー値はあらかじめ設定されている。信号監視部３４は、リンクパルス受信信号を検出している間は、入力検出信号を発生する。
【００５６】
（４）リンクパルス信号受信部３５は、ＬＡＮポート３８やＬＡＮポート３８に装置を接続しているケーブル（図示せず）などの障害により入力線３７経由のリンクパルス信号が途絶えたときに、リンクパルス受信信号の発生を停止する。
【００５７】
（５）信号監視部３４は、タイマー３３が起動している間でリンクパルス受信信号を検出しなくなった場合、入力検出信号の発生を停止し電源断信号を発生し、スイッチ３２に電源断信号を送信する。なお、入力検出信号が中断した時点でタイマー３３はリセットされる。
【００５８】
（６）電源断信号を受信したスイッチ３２は、タイマー３３，信号監視部３４，リンクパルス信号受信部３５および制御回路３９への電源供給を遮断する。
【００５９】
（７）制御回路３９への電源供給が遮断され、ＬＡＮ制御装置３０の機能が停止する。
【００６０】
このように、ＬＡＮポート３８自身の障害もしくはＬＡＮポート３８に接続されているケーブルの断線などの障害によりリンクパルス信号が途絶えたときに、信号監視部３４からの電源断信号によりスイッチ３２は主電源３１からの電源供給を遮断し、ＬＡＮ制御装置３０の機能を停止することで、ＬＡＮ障害の検出を通知する。
【００６１】
本実施の形態では、第１の実施の形態の障害通報方式を適用した装置としてＬＡＮ制御装置を説明したが、メディアコンバータやアクセスポイントなどの装置にも同様に適用できる。
【００６２】
本発明の第３の実施の形態について、図面を用いて説明する。
【００６３】
第３の実施の形態は、第１の実施の形態で説明した障害通報方式を備えた装置を含んで構成されるメディアコンバータとスイッチングハブとから成るシステム形態である。
【００６４】
図４に、メディアコンバータとスイッチングハブとから構成されるシステムを示す。
【００６５】
図４を参照すると、本システムでは、スイッチングハブ８とスイッチングハブ９との間を、ＵＴＰケーブル１４とメディアコンバータ１０と光ファイバケーブル１６とメディアコンバータ１２とＵＴＰケーブル１８ならびにＵＴＰケーブル１５とメディアコンバータ１１と光ファイバケーブル１７とメディアコンバータ１３とＵＴＰケーブル１９で二重化している。メディアコンバータ１０〜１３は、ＵＴＰケーブルと光ファイバケーブルとの変換を行う装置である。
【００６６】
ＵＴＰケーブル１４，ＵＴＰケーブル１５，ＵＴＰケーブル１８およびＵＴＰケーブル１９は、ＩＥＥＥ８０２．３ｕで規格化された１００ＢＡＳＥ−ＴＸのケーブルである。
【００６７】
光ファイバケーブル１６と光ファイバケーブル１７は、ＩＥＥＥ８０２．３ｕで規格化された１００ＢＡＳＥ−ＦＸのケーブルである。
【００６８】
なお、スイッチングハブ８とスイッチングハブ９はリンクアグリゲーション機能（ＩＥＥＥ８０２．３ａｄ）を備え、メディアコンバータ１０とメディアコンバータ１１とメディアコンバータ１２とメディアコンバータ１３は第１の実施の形態で説明した障害通報方式を実装している。
【００６９】
本発明の第３の実施の形態の動作について、図４を参照して説明する。
【００７０】
（１）スイッチングハブ８とスイッチングハブ９は、ＵＴＰケーブル１４とメディアコンバータ１０と光ファイバケーブル１６とメディアコンバータ１２とＵＴＰケーブル１８とを介して通信しているものとする。
【００７１】
（２）今、光ファイバケーブル１６が断線したとする。メディアコンバータ１０およびメディアコンバータ１２のリンクパルス信号受信部ではリンクパルス信号を受信できなくなりリンクパルス受信信号を発生しなくなる。
【００７２】
（３）メディアコンバータ１０およびメディアコンバータ１２の信号監視部は、リンクパルス受信信号を検出できなくなって入力検出信号を停止し、スイッチに電源断信号を送信する。
【００７３】
（４）メディアコンバータ１０およびメディアコンバータ１２のスイッチは、制御回路への電源供給を停止する。これにより、メディアコンバータ１０およびメディアコンバータ１２は自動的に電源オフとなり機能が停止する。
【００７４】
（５）メディアコンバータ１０およびメディアコンバータ１２が電源オフとなり機能が停止したので、スイッチングハブ８のメディアコンバータ１０が接続されているポートならびにスイッチングハブ９のメディアコンバータ１２が接続されているポートのリンクが途切れる。
【００７５】
（６）スイッチングハブ８およびスイッチングハブ９は、リンクアグリゲーション機能により、スイッチングハブ８はメディアコンバータ１１を使用して、スイッチングハブ９はメディアコンバータ１３を使用して、自動的に通信を再開する。
【００７６】
このようにして、稼働しているメディアコンバータの電源をオフすることにより現アクセス系に障害が発生していることをスイッチングハブに通報することで、スイッチングハブはリンクアグリゲーション機能により他のアクセス系を自動的に検出して通信を再開継続できる効果がある。
【００７７】
本発明の第４の実施の形態について、図面を用いて説明する。
【００７８】
第４の実施の形態は、第１の実施の形態で説明した障害通報方式を備えた装置を含んで構成される無線ＬＡＮのアクセスポイントと無線ＬＡＮクライアントとから成るシステム形態である。
【００７９】
図５に、無線ＬＡＮのアクセスポイントと無線ＬＡＮクライアントとから構成されるシステムを示す。
【００８０】
図５を参照すると、本システムでは、ハブ２０とハブ２１とがＬＡＮで接続され、ハブ２０にはＵＴＰケーブル２４を介してアクセスポイント２２がつながり、ハブ２１にはＵＴＰケーブル２５を介してアクセスポイント２３がつながり、アクセスポイントが二重化されている。
【００８１】
ＵＴＰケーブル２４とＵＴＰケーブル２５は、ＩＥＥＥ８０２．３で規格化された１０ＢＡＳＥ−Ｔのケーブルである。
【００８２】
無線ＬＡＮインタフェースカードを実装した無線ＬＡＮクライアント２６は、無線ＬＡＮ（ＩＥＥＥ８０２．１１）によりアクセスポイント２２あるいはアクセスポイント２３にアクセスする。
【００８３】
なお、無線ＬＡＮクライアント２６はローミング機能を備え、アクセスポイント２２とアクセスポイント２３は第１の実施の形態で説明した障害通報方式を実装している。
【００８４】
本発明の第４の実施の形態の動作について、図５を参照して説明する。
【００８５】
（１）無線ＬＡＮクライアント２６はアクセスポイント２２と通信しているものとする。
【００８６】
（２）今、ＵＴＰケーブル２４あるいはハブ２０に障害が発生したとする。アクセスポイント２２のリンクパルス信号受信部ではリンクパルス信号を受信できなくなりリンクパルス受信信号を発生しなくなる。
【００８７】
（３）アクセスポイント２２の信号監視部は、リンクパルス受信信号を検出できなくなって入力検出信号を停止し、スイッチに電源断信号を送信する。
【００８８】
（４）アクセスポイント２２のスイッチは、制御回路への電源供給を停止する。これにより、アクセスポイント２２は自動的に電源オフとなり機能を停止する。
【００８９】
（５）アクセスポイント２２が電源オフとなり機能を停止したので、無線ＬＡＮクライアント２６はローミング機能により新たなアクセスポイント２３を自動的に検出して通信を行う。
【００９０】
このようにして、現アクセスポイントの電源をオフすることにより現アクセスポイント系に障害が発生していることを無線ＬＡＮクライアントに通報することで、無線ＬＡＮクライアントはローミング機能により他のアクセスポイントを自動的に検出して通信を再開継続できる効果がある。
【００９１】
本発明の第５の実施の形態について、図面を用いて説明する。
【００９２】
第５の実施の形態は、第１の実施の形態を拡張した形態である。
【００９３】
図６は、本発明の第５の実施の形態の構成を示す図である。
【００９４】
図６を参照すると、本発明の障害通報方式は、主電源６１と、スイッチ６２と、動作期間設定部６３と、信号監視部６４と、信号受信部６５と、出力線６と、入力線７と、補助電源６８と、表示素子６９と、を含む。
【００９５】
第４の実施の形態は、図１に示す第１の実施の形態の構成に対して電源１とスイッチ２と動作期間設定部３と信号監視部４と信号受信部５とを主電源６１とスイッチ６２と動作期間設定部６３と信号監視部６４と信号受信部６５とに置換し補助電源６８と表示素子６９とを追加した構成になっている。
【００９６】
ここでは、第１の実施の形態と異なる主電源６１とスイッチ６２と動作期間設定部６３と信号監視部６４と信号受信部６５と補助電源６８と表示素子６９とについて説明する。
【００９７】
主電源６１は、第１の実施の形態の主電源１の機能と同等である。
【００９８】
スイッチ６２は、第１の実施の形態のスイッチ２の機能に加え、表示素子６９に電源を供給する。また、信号監視部６４から受信した電源投入信号で、動作期間設定部６３，信号監視部６４，信号受信部６５，表示素子６９および出力線６への電源供給を再開する。
【００９９】
動作期間設定部６３は、第１の実施の形態の動作期間設定部３の機能と同等である。
【０１００】
信号監視部６４は、第１の実施の形態の信号監視部４の機能に加え、電源断信号を補助電源６８に送信する。また、リンクパルス信号受信部６５から途絶えていたリンクパルス受信信号の送信が再開されるとリンクパルス受信信号を受信して電源投入信号をスイッチ６２と補助電源６８に送信する。
【０１０１】
信号受信部６５は、第１の実施の形態の信号受信部５の機能に加え、リンクパルス信号が途絶えた後に再度入力された時点でリンクパルス受信信号の送信を再開し信号監視部６４に送信する。
【０１０２】
補助電源６８は、主電源６１からの電源供給が断たれた場合、主電源６１の代わりに動作期間設定部６３と信号監視部６４と信号受信部６５と表示素子６９に電源を供給する。
【０１０３】
表示素子６９は、信号監視部６４から電源断信号を受信したときに、本方式に基づき自動的に電源が切断されている状態であることを表示する。また、信号監視部６４から電源投入信号を受信したときに、表示を停止する。表示素子６９として、例えば、電源断信号で発光する光ダイオードなどを用いることができる。
【０１０４】
本発明の第５の実施の形態の動作について、図６を参照して説明する。
【０１０５】
（１）主電源６１が投入された時点から、信号監視部６４は信号受信部６５からの信号受信信号の監視を開始する。
【０１０６】
（２）信号受信部６５は、入力線７から入力される信号を受信する。信号受信部６５は、信号を受信している間は信号受信信号を発生し、信号受信信号を信号監視部６４に送信する。
【０１０７】
（３）信号監視部６４は、信号受信信号を検出している間は、入力検出信号を発生する。
【０１０８】
（４）信号受信部６５は、入力線７からの信号が途絶えると、信号受信信号を停止する。
【０１０９】
（５）信号監視部６４は、信号受信部６５からの信号受信信号が停止すると、入力検出信号を停止して電源断信号を発生する。
、スイッチ６２と表示素子６９に送信する。
【０１１０】
（６）スイッチ６２は、信号監視部６４からの電源断信号を受けて、動作期間設定部６３，信号監視部６４，信号受信部６５および出力線６への電源供給を遮断する。主電源６１から各部への電源供給が断たれる。
【０１１１】
（７）信号監視部６４からの電源断信号を受けて、補助電源６８が起動し、補助電源６８は信号監視部６４，信号受信部６５および表示素子６９に電源を供給する。信号監視部６４および信号受信部６５は動作を継続する。
【０１１２】
（８）信号監視部６４からの電源断信号を受けて、表示素子６９は、本方式に基づき自動的に電源が切断されている状態である旨を表示する。
【０１１３】
（９）再び、信号受信部６５は、入力線７から信号を受信し始めるとする。
【０１１４】
（１０）信号受信部６５は、再度信号が入力された時点でリ信号受信信号の送信を再開し信号監視部６４に送信する。
【０１１５】
（１１）信号監視部６４は、信号受信信号の再開を受け、障害が復旧されたことを検出し、電源投入信号を発生する。
スイッチ６２と表示素子６９に送信する。
【０１１６】
（１２）スイッチ６２は、信号監視部６４からの電源投入信号を受けて、動作期間設定部６３，信号監視部６４，信号受信部６５および出力線６への電源供給を再開する。主電源６１から各部へ電源が供給される。
【０１１７】
（１３）信号監視部６４からの電源投入信号を受けて、表示素子６９は、本方式に基づき自動的に電源が切断されている状態である旨の表示を停止する。
【０１１８】
（１４）信号監視部６４からの電源投入信号を受けて、補助電源６８が停止し、補助電源６８は信号監視部６４，信号受信部６５および表示素子６９への電源供給を止める。
【０１１９】
このようにして、電源が切断された場合に、それが障害検出時における自動電源切断機能が働いた結果なのか、それとも別の理由で電源が切断されてしまったのかを表示素子６９で目視で確認でき切り分けが可能になる。
【０１２０】
また、ケーブル切断もしくは接続されている装置の障害が復旧した場合に、切断された電源を自動的に復旧でき、通信再開が可能となる。
【０１２１】
本発明の第６の実施の形態について、図面を用いて説明する。
【０１２２】
第６の実施の形態は、第１の実施の形態を拡張した形態である。
【０１２３】
図７は、本発明の第６の実施の形態の構成を示す図である。
【０１２４】
図７を参照すると、本発明の障害通報方式は、２つの入力線７に対してそれぞれ動作期間設定部３と信号監視部４と信号受信部５とが存在し、２つの信号監視部４はそれぞれスイッチ７２に接続されている。
【０１２５】
動作期間設定部３，信号監視部４および信号受信部５の動作は、第１の実施の形態の場合と同様である。
【０１２６】
スイツチ７２は、どちらかの信号監視部４から電源断信号を受けたときに、電源１からの電源供給を遮断する。
【０１２７】
このように、複数の入力線からの信号を監視して、いずれかの入力線の信号が途絶えたときに出力線への電源供給を停止することができる。
【０１２８】
【発明の効果】
第１の効果は、ＬＡＮ障害検出時に装置の電源を停止することで障害発生を他の装置に通報できることである。
【０１２９】
その理由は、ＬＡＮポートからのリンクパルス信号が途絶えたときに装置の電源を停止する手段を設けたからである。
【０１３０】
第２の効果は、二重化システムにおけるＬＡＮ障害時の通信障害を防ぐことが可能となることである。
【０１３１】
その理由は、障害検出時に電源を停止することで他の装置に通報し他の装置が自動的に待機系を使用できる手段を設けたからである。
【０１３２】
第３の効果は、不必要な電力消費を押さえることができることである。
【０１３３】
その理由は、障害が検出し通信上不要となってしまった装置の電源を停止する手段を設けたからである。
【図面の簡単な説明】
【図１】本発明の第１の実施の形態の構成を示す図
【図２】電源断のタイミングを示す図
【図３】本発明の第２の実施の形態の構成を示す図
【図４】本発明の第３の実施の形態の構成を示す図
【図５】本発明の第４の実施の形態の構成を示す図
【図６】本発明の第５の実施の形態の構成を示す図
【図７】本発明の第６の実施の形態の構成を示す図
【図８】従来の構成（第１の例）を示す図
【図９】従来の構成（第２の例）を示す図
【符号の説明】
１    電源
２    スイッチ
３    動作期間設定部
４    信号監視部
５    信号受信部
６    出力線
７    入力線
８    スイッチングハブ
９    スイッチングハブ
１０    メディアコンバータ
１１    メディアコンバータ
１２    メディアコンバータ
１３    メディアコンバータ
１４    ＵＴＰケーブル
１５    ＵＴＰケーブル
１６    光ファイバケーブル
１７    光ファイバケーブル
１８    ＵＴＰケーブル
１９    ＵＴＰケーブル
２０    ハブ
２１    ハブ
２２    アクセスポイント
２３    アクセスポイント
２４    ＵＴＰケーブル
２５    ＵＴＰケーブル
２６    無線ＬＡＮクライアント
３０    ＬＡＮ制御装置
３１    主電源
３２    スイッチ
３３    タイマー
３４    信号監視部
３５    リンクパルス信号受信部
３６    出力線
３７    入力線
３８    ＬＡＮポート
３９    制御回路
６１    主電源
６２    スイッチ
６３    動作期間設定部
６４    信号監視部
６５    信号受信部
６８    補助電源
６９    表示素子
７２    スイッチ
８０    従来メディアコンバータ
８１    従来メディアコンバータ
８２    従来メディアコンバータ
８３    従来メディアコンバータ
９２    従来アクセスポイント
９３    従来アクセスポイント
【図１】
0003576931.tif 000002
【図２】
0003576931.tif 000003
【図３】
0003576931.tif 000004
【図４】
0003576931.tif 000005
【図５】
0003576931.tif 000006
【図６】
0003576931.tif 000007
【図７】
0003576931.tif 000008
【図８】
0003576931.tif 000009
【図９】
0003576931.tif 000010